(57)【要約】【課題】カバーが円滑に回転でき、非常に美しい形状とすることができるヒンジおよびコンパクトで外観を損なうことのない電子機器を提供する。【解決手段】ヒンジは、カバーと電子機器のベースの間に設けられる。この蓋は、上記ヒンジを覆い、ベースに安全に取り付けられる。このヒンジは、アーチ状曲面と回転軸を有する。該カバーが或る角度まで回動すると、回転軸がアーチ状曲面に当接してカバーを開くと、カバーは蓋から選択的に遠のく。従って、電子機器の形状は損なわれず、そして、カバーは蓋に干渉しない。  【選択図】図１
0003152019.tif 000002
【実用新案登録請求の範囲】
【請求項１】
第１側面と、上記第１側面の反対側にあり、内面を有する第２側面と、第１端面と、上記第１端面の反対側にあり、上記第１および第２側面に隣接する第２端面と、および、上記第１および第２側面を貫いて縦軸方向に形成される取付孔を有する中央フレームと、
上記中央フレームの第１端面に形成されると共に該端面から横軸方向に突出する第１チルト軸と、および
上記中央フレームの第２端面に形成されると共に該端面から横軸方向に突出する第２チルト軸と、
を有するチルト組立体と；
上記中央フレームの取付孔を貫いてスライド自在に取り付けられ、本体と、該本体の周りに形成された拡大頭部と、上記中央フレームの第２壁面から突出する先端と、上記中央フレームの第２壁面から突出する隣接端と、および、上記中央フレームの第１壁面から突出する取付端から構成される回転軸と、
上記回転軸の周りに設けられ、上記中央フレームの第２壁面に隣接する弾性部材と、および、上記回転軸の周りに確実に取り付けられる固定リングと、
から成り、上記チルト組立体に連結される回転組立体と；および
端縁、および上記第１チルトブラケットの端縁に形成されると共にこれから突設され、上記中央フレームに対応し、上記回転軸に面するアーチ状曲面を有し、該回転軸の隣接端に選択的に隣接する延設翼を有する第１チルトブラケットと、
上記第２チルト軸の周りに回転自在に取り付けられる第２チルトブラケットと、
から成り、上記チルト組立体に連結されるブラケット組立体と；
から構成されることを特徴とするヒンジ。
【請求項２】
上記回転軸が、この隣接端の近くの本体に環状に形成される環状溝を有し、および上記固定リングが回転軸の環状溝に係合する、
ことを特徴とする請求項１に記載のヒンジ。
【請求項３】
上記スプリングが、上記第２チルト軸の周りに設けられ、および該スプリングに対して位置決め組立体が第２チルト軸の周りに設けられて、位置決め機能を発揮せしめる、
ことを特徴とする請求項１または２に記載のヒンジ。
【請求項４】
上記チルト組立体が、上記第１および第２チルト軸にそれぞれ確実に取り付けられている２つの規制座金を有し、各規制座金が、外端と上記規制座金の外端に設けられ、外端から縦軸方向に突出する規制突起を有し、
上記第１チルトブラケットが、これを貫いて形成され、対応する規制座金の規制突起をそれぞれ選択的に受け入れる、規制孔を有し、および、
上記第２チルトブラケットが、これを貫いて形成され、対応する規制座金の規制突起をそれぞれ選択的に受け入れる規制孔、を有する、
ことを特徴とする請求項１ないし３のいずれかの項に記載のヒンジ。
【請求項５】
上記ブラケット組立体が、上記回転軸の取付端に確実に取り付けられている回転ブラケットを有する、
ことを特徴とする請求項１ないし４のいずれかの項に記載のヒンジ。
【請求項６】
上記チルト組立体の中央フレームが、
上記第１壁に縦軸方向に形成され、上記中央フレームの取付孔に連携する２つのガイド溝と、および、上記中央フレームの第２壁の内面に形成され、これから突出する規制突起を有し、
上記回転組立体が、
上記回転軸の周りに回転自在に設けられ、上記中央フレームの取付孔に取り付けられ、側壁と、連結端と、該連結端の反対側にあり、回転軸の拡大頭部に隣接し、内面を有する保持壁と、空洞と、２つのガイド耳と、および、２つの位置決め突起を有する中空のスリーブと、
上記回転軸の周りに取り付けられ、上記スリーブの保持壁の内面に面する隣接面と、上記位置決め座金の隣接面に形成され、上記スリーブの位置決め突起に選択的に係合する２つの位置決め溝を有する位置決め座金と、
上記回転軸の周りに設けられ、位置決め座金に隣接する複数の弾性座金と、および、
上記回転軸の周りに設けられ、環状端面と、上記規制リングの環状端に横軸方向に形成され、上記中央フレームの規制突起に選択的に当接する位置決め突起を有する規制リングを有する、
ことを特徴とする請求項１ないし５のいずれかの項に記載のヒンジ。
【請求項７】
ベースとカバーとヒンジから構成されるヒンジを備えた電子機器であって、
該ヒンジが、上記ベースとカバーの間に連結され、
第１側面と、上記第１側面の反対側にあり、内面を有する第２側面と、第１端面と、上記第１端面の反対側にあり、上記第１および第２側面に隣接する第２端面と、および、上記第１および第２側面を貫いて縦軸方向に形成される取付孔を有する中央フレームと、
上記中央フレームの第１端面に形成されると共に該端面から横軸方向に突出する第１チルト軸と、および
上記中央フレームの第２端面に形成されると共に該端面から横軸方向に突出する第２チルト軸と、
を有するチルト組立体と；
上記中央フレームの取付孔を貫いてスライド自在に取り付けられ、本体と、該本体の周りに形成された拡大頭部と、上記中央フレームの第２壁面から突出する先端と、上記中央フレームの第２壁面から突出する隣接端と、および、上記中央フレームの第１壁面から突出する取付端から構成される回転軸と、
上記回転軸の周りに設けられ、上記中央フレームの第２壁面に隣接する弾性部材と、および、上記回転軸の周りに確実に取り付けられる固定リングと、
から成り、上記チルト組立体に連結される回転組立体と；
端縁、および上記第１チルトブラケットの端縁に形成されると共にこれから突設され、上記中央フレームに対応し、上記回転軸に面するアーチ状曲面を有し、該回転軸の隣接端に選択的に隣接する延設翼を有する第１チルトブラケットと、
上記第２チルト軸の周りに回転自在に取り付けられる第２チルトブラケットと、
から成り、上記チルト組立体に連結されるブラケット組立体と；および
ヒンジを覆い、上記ベースに確実に取り付けられる蓋と；
から構成される、
ことを特徴とするヒンジを備えた電子機器。
【請求項８】
上記回転軸が、その隣接端に近い本体に過剰に形成された環状溝を有し、上記固定リングが回転軸の環状溝に係合する、
ことを特徴とする請求項７に記載のヒンジを備えた電子機器。
【請求項９】
スプリングが、上記第２チルト軸の周りに設けられ、そして、位置決め組立体が、該第２チルト軸の周りに設けられ、スプリングに位置決め機能を発揮せしめる、ことを特徴とする請求項７または８に記載のヒンジを備えた電子機器。
【請求項１０】
上記チルト組立体が、上記第１および第２チルト軸にそれぞれ確実に取り付けられている２つの規制座金を有し、各規制座金が、外端と上記規制座金の外端に設けられ、外端から縦軸方向に突出する規制突起を有し、
上記第１チルトブラケットが、これを貫いて形成され、対応する規制座金の規制突起をそれぞれ選択的に受け入れる、規制孔を有し、および、
上記第２チルトブラケットが、これを貫いて形成され、対応する規制座金の規制突起をそれぞれ選択的に受け入れる規制孔、を有する、
ことを特徴とする請求項７ないし９のいずれかの項に記載のヒンジを備えた電子機器。
【請求項１１】
上記ブラケット組立体が、上記回転軸の取付端に確実に取り付けられ、上記カバーに確実に取り付けられる回転ブラケットを有する、
ことを特徴とする請求項７ないし１０のいずれかの項に記載のヒンジを備えた電子機器。
【請求項１２】
上記チルト組立体の中央フレームが、
上記第１壁に縦軸方向に形成され、上記中央フレームの取付孔に連携する２つのガイド溝と、および、上記中央フレームの第２壁の内面に形成され、これから突出する規制突起を有し、
上記回転組立体が、
上記回転軸の周りに回転自在に設けられ、上記中央フレームの取付孔に取り付けられ、側壁と、連結端と、該連結端の反対側にあり、回転軸の拡大頭部に隣接し、内面を有する保持壁と、空洞と、２つのガイド耳と、および、２つの位置決め突起を有する中空のスリーブと、
上記回転軸の周りに取り付けられ、上記スリーブの保持壁の内面に面する隣接面と、上記位置決め座金の隣接面に形成され、上記スリーブの位置決め突起に選択的に係合する２つの位置決め溝を有する位置決め座金と、
上記回転軸の周りに設けられ、位置決め座金に隣接する複数の弾性座金と、および、
上記回転軸の周りに設けられ、環状端面と、上記規制リングの環状端に横軸方向に形成され、上記中央フレームの規制突起に選択的に当接する位置決め突起を有する規制リングを有する、
ことを特徴とする請求項７ないし１１のいずれかの項に記載のヒンジを備えた電子機器。
【考案の詳細な説明】
【技術分野】
【０００１】
本考案は、ヒンジおよびそのヒンジを備えた電子機器に関し、特に、電子機器のカバーとベースの間に設けられ、カバーが回動している時にスライドする軸を有するヒンジに関する。
【背景技術】
【０００２】
図７および図８において、携帯電話やノートブック型コンピュータのような従来の電子機器は、ベース９０，９０Ａ、カバー９２，９２Ａ、従来型ヒンジ９１，９１Ａおよび蓋９３，９３Ａを有する。上記従来型ヒンジ９１，９１Ａは、上記ベース９０，９０Ａと上記カバー９２，９２Ａの間に設けられて、上記ベース９０，９０Ａに対して上記カバー９２，９２Ａが回動できるようになっている。上記蓋９３，９３Ａは、上記ベース９０，９０Ａに取り付けられ、上記従来型ヒンジ９１，９１Ａを覆って、従来の電子機器を装飾する。
【０００３】
上記カバー９２，９２Ａは、上記ベース９０，９０Ａに対して回動すると、上記蓋９３，９３Ａが該カバー９２，９２Ａの端部に当接して、該カバー９２，９２Ａの回動を阻止する。該カバー９２，９２Ａと該蓋９３，９３Ａとの当接を解消するために、次のような２つの従来方法がある。
【０００４】
図７に、１つの従来型電子機器を示す。カバー９２に近い蓋９３の端部は、傾斜面９４を有する。該カバー９２は該傾斜面９４に沿って回動するので、該蓋９３は該カバー９２の回動を阻止することはない。しかしながら、該傾斜面９４は、従来型電子機器の全外観を損なう。
【０００５】
図８に、もう１つの従来型電子機器を示す。上記カバー９２Ａと上記蓋９３Ａの間には、隙間が形成されている。従って、該カバー９２Ａは、これが回動する際に、該蓋９３Ａから遠のいている。しかしながら、この隙間は、従来型電子機器の外観を損なうだけでなく、該従来型電子機器のサイズを増大させることになる。
【０００６】
したがって、カバー９２，９２Ａと蓋９３，９３Ａとの当接を解消するための上記従来方法は、従来型電子機器の外観を損ない、該従来型電子機器のサイズを増大させる。従来型電子機器の外観を損ない、該従来型電子機器のサイズを増大させることは、市場の要請に逆らうことになる。
【０００７】
これらの欠点を克服するために、本考案は、上述の問題点を緩和し、或いは、除去することができるヒンジおよび該ヒンジを備えた電子機器を提供する。
【考案の概要】
【考案が解決しようとする課題】
【０００８】
本考案の主な目的は、カバーを所望通りに開くことができるヒンジおよびそのヒンジを備えた電子機器を提供することを課題とする。
【０００９】
本考案の他の目的、利点および新規な特徴は、添付図面と共に、以下の詳細な記載から更に明らかとなる。
【課題を解決するための手段】
【００１０】
本考案のヒンジは、カバーと電子機器のベースの間に設けられる。この蓋は、上記ヒンジを覆い、ベースに安全に取り付けられる。このヒンジは、アーチ状曲面と回転軸を有する。該カバーが或る角度まで回動すると、回転軸がアーチ状曲面に当接してカバーを開くと、カバーは蓋から選択的に遠のく。従って、電子機器の形状は損なわれず、そして、カバーは蓋に干渉しない。
【考案の効果】
【００１１】
本考案のヒンジおよびそのヒンジを備えた電子機器は、上記カバーが或る角度に回転すると、上記ヒンジはカバーを円滑にリフトアップする。従って、上記電子機器の形状は、その外観を損なうものではなく、上記カバーは上記蓋に干渉するものではない。従って、上述の電子機器は小さいサイズとすることができ、上記カバーが円滑に回転でき、非常に美しい形状とすることができる。ことができる。
【図面の簡単な説明】
【００１２】
【図１】本考案に従うヒンジの一部分解斜視図である。
【図２】図１のヒンジの斜視図である。
【図３】図１のヒンジを備えた、本考案に従う電子機器の斜視図である。
【図４】本考案に従う電子機器の他の実施例の斜視図である。
【図５】図３の電子機器の一部拡大断面図である。
【図６ａ】図３の電子機器の作用側面図である。
【図６ｂ】図３の電子機器の作用側面図である。
【図６ｃ】図３の電子機器の作用側面図である。
【図７】従来技術にしたがう従来型電子機器の作用側面図である。
【図８】従来技術にしたがう他の従来型電子機器の作用側面図である。
【考案を実施するための形態】
【００１３】
以下、本考案のヒンジおよびそのヒンジを備えた電子機器の実施例について、図面を参照しながら説明する。
図１おおび図２において、本考案によるヒンジは、チルト組立体１０、回転組立体２０およびブラケット組立体３０から成る。
【００１４】
上記チルト組立体１０は、中央フレーム１１、第１チルト軸１２、第２チルト軸１３、スプリング１４、位置決め組立部材１５、および２つの規制（limiting）座金１９から成る。
【００１５】
上記中央フレーム１１は、第１壁面、第２壁面、第１端面、第２端面、取付孔１６、２つのガイド溝１７および規制突起１８を有する。該第２壁面は、上記第１壁面の反対側にあり、内面を有する。上記第２端面は上記第１端面の反対側にあり、上記第１および第２壁面に隣接する。上記取付孔１６は、上記中央フレーム１１の第１および第２壁面を貫いて縦軸（長手）方向に形成されている。上記ガイド溝１７は上記第１壁面に縦軸方向に形成され、上記取付孔１６と協働する。上記規制突起１８は上記第２壁面の内面に形成され、突出する。
【００１６】
上記第１チルト軸１２は、上記中央フレーム１１の第１端面に形成されると共に該端面から横軸（上記縦軸に対して直交する：以下同じ）方向に突出し、非円形断面となっている。第２チルト軸１３は、上記中央フレーム１１の第２端面に形成されると共に該端面から横軸方向に突出し、非円形断面となっている。
【００１７】
上記スプリング１４は、上記第２チルト軸１３の周りに設けられる。
上記位置決め組立部材１５は、上記第２チルト軸１３の周りに設けられ、位置決め機能を発揮するように上記スプリング１４に当接している。上記位置決め組立部材１５は、相互に相対的に回転し、対応する位置決め突起と位置決め爪を有し、回転位置決め座金および固定位置決め座金から構成される。
【００１８】
上記規制座金１９は、上記第１および第２チルト軸１２、１３に各々確実に設けられている。各規制座金１９は、外縁と規制突起１９１を有する。該規制突起１９１は、上記規制座金１９の外縁に形成され、該座金の周面から放射方向に突出する。
【００１９】
上記回転組立体２０は、上記チルト組立体１０に連結され、回転軸２１、スリーブ２４、位置決め座金２５、複数の弾性座金２６、規制リング２７、弾性部材２２および固定リング２３から成る。
【００２０】
上記回転軸２１は、上記中央フレーム１１の取付孔１６を貫いて摺動自在に設けられ、ベース、拡大頭部２１１、先端２１２、取付端２１３、および、環状溝２１４を有する。上記ベースは非円形断面を有する。該ベースの周りに、上記拡大頭部２１１が形成されている。上記先端２１２は、上記中央フレーム１１の第２壁面から外方に突出している。上記取付端２１３は、上記中央フレーム１１の第１壁面から外方に突出している。上記環状溝２１４は、上記先端２１２の近くの上記ベースに環状に形成されている。
【００２１】
上記スリーブ２４は中空であり、上記回転軸２１の周りに回転自在に設けられ、上記中央フレーム１１の取付孔１６に取り付けられ、側壁、連結端、保持端、穴２４２、２つのガイド耳２４１、および２つの位置決め突起２４３を有する。上記保持壁は、上記連結端の反対側にあり、上記回転軸２１の拡大頭部２１１に隣接し、そして内面を有する。上記ガイド耳２４１は、上記スリーブ２４の側壁に横軸方向に形成され、そして、上記中央フレーム１１のガイド溝１７に各々嵌合して、上記スリーブ２４を上記中央フレーム１１に対する回転を保持する。上記位置決め突起２４３は、上記スリーブ２４の保持壁の内面に形成され、上記穴２４２内に突出する。
【００２２】
上記位置決め座金２５は、上記回転軸２１の周りにスライド自在に取り付けられ、上記回転軸２１、上記隣接面および２つの位置決め溝２５１の形状に符合するように設計された非円形中心孔を有する。上記位置決め座金２５の隣接面は、上記スリーブ２４の保持壁の内面に面する。上記２つの位置決め溝２５１は、上記位置決め座金２５の隣接面に形成され、上記スリーブ２４の上記位置決め突起２４３に選択的に係合して位置決め機能を発揮する。
【００２３】
上記複数の弾性座金２６は、上記回転軸２１の周りに設けられ、上記位置決め座金２５に隣接する。
【００２４】
上記規制リング２７は、上記回転軸２１の周りにスライド自在に取り付けられ、上記回転軸２１の形状に符合する非円形中心孔、環状縁、および規制突起２７１を有する。該規制突起２７１は、上記規制リング２７の環状縁から放射方向に形成され、上記中央フレーム１１の規制突起１８に選択的に当接して、上記回転軸２１の回転角を規制する。
【００２５】
上記弾性部材２２は、上記回転軸２１の周りに設けられ、上記中央フレーム１１の第２壁に隣接している。
【００２６】
上記固定リング２３は、上記回転軸２１の周りに確実に取り付けられる。該固定リング２３は、回転軸２１の環状溝２１４に固定され、上記弾性部材２２を保持し、そしてクリップであってもよい。
【００２７】
上記ブラケット組立体３０は、上記チルト組立体１０および上記回転組立体２０に連結され、第１チルトブラケット３１、第２チルトブラケット３２および回転ブラケット３３から成る。
【００２８】
上記第１チルトブラケット３１は、上記第１チルト軸１２の周りに回転可能に設けられ、端縁、規制孔３５および延設翼を有する。該規制孔３５は、上記第１チルトブラケット３１を貫いて形成され、対応する規制座金１９の規制突起１９１を選択的に受け止める。上記延設翼は、上記第１チルトブラケット３１の端縁に形成されると共に突設され、上記中央フレーム１１に符合し、アーチ状曲面３４を有する。該アーチ状曲面３４は、上記回転軸２２に面し、該回転軸２１の先端２１２に選択的に当接する。
【００２９】
上記第２チルトブラケット３２は、上記第２チルト軸１３の周りに回転自在に取り付けられ、規制孔３７を有する。該規制孔３７は、第２チルトブラケット３２を貫いて形成され、対応する規制座金１９の規制突起１９１を選択的に受け止め、該第２チルトブラケット３２の回転角を制限する。
【００３０】
上記回転ブラケット３３は、上記回転軸２１の上記取付端２１３に確実に取り付けられる。
【００３１】
図３ないし図５において、本考案による電子機器は、カバー４０、ベース５０、上述のヒンジおよび蓋６０から成る。上記カバー４０は上記ベース５０に枢着されている。上述のヒンジは、上記カバー４０と上記ベース５０の間に設けられる。上記回転軸２１の取付端２１３は、上記カバー４０に確実に連結されるか、または、上記回転ブラケット３３が上記カバー４０に確実に取り付けられる。上記第１および第２チルトブラケット３１、３２は、上記ベース５０に確実に取り付けられる。上記蓋６０は、上述のようにヒンジを覆い、該ベース５０に確実に取り付けられる。上記第１チルトブラケット３１はベース５０に形成してもよい。
【００３２】
図６ａ、図６ｂおよび図６ｃにおいて、上記カバー４０は上記ベース５０に対して枢着されている。該カバー４０は、上記回転軸２１および上記中央フレーム１１を保持し、上記第１および第２チルトブラケット３１、３２に対して枢着されている。上記回転軸２１の先端２１２が上記アーチ状曲面３４に当接する時、該回転軸２１は、図６ｂに示すようにＢ方向にスライドし、上記カバー４０をリフトアップする。該カバー４０は上記蓋６０から離れるので、該カバー４０は回動しても該蓋６０に衝突しない。
【００３３】
上記回転軸２１がＢ方向にスライドすると、上記弾性部材２２は圧縮される。上記カバー４０が連続して回転すると、上記回転軸２１の先端２１２が上記アーチ面３４から離れ、上記弾性部材２２の力が上記固定リング２３を押して、上記回転軸２１をスライドするように元の位置に引く。従って、上記カバー４０は元の位置に戻る。
【００３４】
上述のヒンジおよび電子機器は次のような利点を有する。上記カバー４０が或る角度に回転すると、上記ヒンジはカバー４０を円滑にリフトアップする。従って、上記電子機器の形状は、その外観を損なうものではなく、上記カバー４０は上記蓋６０に干渉するものではない。従って、上述の電子機器は小さいサイズとすることができ、上記カバー４０が円滑に回転でき、非常に美しい形状とすることができる。
【００３５】
たとえ本考案の多数の特徴や利点が上述のように記載されていたとしても、本考案の構成や特徴は単なる実施例に過ぎず、本考案はこれらの実施例に限定されるものではない。特に本考案の構成部材の形、サイズおよび配置等の変更は、詳細な説明では十分ではなく、請求範囲において表現される用語は、広い一般的な意味にしたがって解釈されるべきである。
【符号の説明】
【００３６】
１０    チルト組立体
１１    中央フレーム
１２    第１チルト軸
１２１  規制座金
１３    第２チルト軸
１４    スプリング
１５    位置決め組立部材
１６    取付孔
１７    ガイド溝
１８    規制突起
１９    規制座金
１９１  規制突起
２０    回転組立体
２１    回転軸
２１１  拡大頭部
２１２  先端
２１３  取付端
２１４  環状溝
２２    弾性部材
２３    固定リング
２４    スリーブ
２４１  ガイド耳
２４２  穴
２４３  突起
２５    位置決め座金
２５１  位置決め溝
２６    弾性座金
２７    規制リング
２７１  規制突起
２８    固定ナット
３０    ブラケット組立体
３１    第１チルトブラケット
３２    第２チルトブラケット
３３    回転ブラケット
３４    アーチ面
３５    規制孔
３７    規制孔
４０    カバー
５０    ベース
６０    蓋
【図１】
0003152019.tif 000003
【図２】
0003152019.tif 000004
【図３】
0003152019.tif 000005
【図４】
0003152019.tif 000006
【図５】
0003152019.tif 000007
【図６ａ】
0003152019.tif 000008
【図６ｂ】
0003152019.tif 000009
【図６ｃ】
0003152019.tif 000010
【図７】
0003152019.tif 000011
【図８】
0003152019.tif 000012
【手続補正書】
【提出日】平成21年5月13日(2009.5.13)
【手続補正１】
【補正対象書類名】実用新案登録請求の範囲
【補正対象項目名】全文
【補正方法】変更
【補正の内容】
【実用新案登録請求の範囲】
【請求項１】
第１側面と、上記第１側面の反対側にあり、内面を有する第２側面と、第１端面と、上記第１端面の反対側にあり、上記第１および第２側面に隣接する第２端面と、および、上記第１および第２側面を貫いて縦軸方向に形成される取付孔を有する中央フレームと、
上記中央フレームの第１端面に形成されると共に該端面から横軸方向に突出する第１チルト軸と、および
上記中央フレームの第２端面に形成されると共に該端面から横軸方向に突出する第２チルト軸と、
を有するチルト組立体と；
上記中央フレームの取付孔を貫いてスライド自在に取り付けられ、本体と、該本体の周りに形成された拡大頭部と、上記中央フレームの第２壁面から突出する先端と、上記中央フレームの第２壁面から突出する隣接端と、および、上記中央フレームの第１壁面から突出する取付端から構成される回転軸と、
上記回転軸の周りに設けられ、上記中央フレームの第２壁面に隣接する弾性部材と、および、上記回転軸の周りに確実に取り付けられる固定リングと、
から成り、上記チルト組立体に連結される回転組立体と；および
端縁、および上記第１チルトブラケットの端縁に形成されると共にこれから突設され、上記中央フレームに対応し、上記回転軸に面するアーチ状曲面を有し、該回転軸の隣接端に選択的に隣接する延設翼を有する第１チルトブラケットと、
上記第２チルト軸の周りに回転自在に取り付けられる第２チルトブラケットと、
から成り、上記チルト組立体に連結されるブラケット組立体と；
から構成されることを特徴とするヒンジ。
【請求項２】
上記回転軸が、この隣接端の近くの本体に環状に形成される環状溝を有し、および上記固定リングが回転軸の環状溝に係合する、
ことを特徴とする請求項１に記載のヒンジ。
【請求項３】
上記第２チルト軸の周りにスプリングが設けられ、および該スプリングに対して位置決め組立体が第２チルト軸の周りに設けられて、位置決め機能を発揮せしめる、
ことを特徴とする請求項１または２に記載のヒンジ。
【請求項４】
上記チルト組立体が、上記第１および第２チルト軸にそれぞれ確実に取り付けられている２つの規制座金を有し、各規制座金が、外端と上記規制座金の外端に設けられ、外端から縦軸方向に突出する規制突起を有し、
上記第１チルトブラケットが、これを貫いて形成され、対応する規制座金の規制突起をそれぞれ選択的に受け入れる、規制孔を有し、および、
上記第２チルトブラケットが、これを貫いて形成され、対応する規制座金の規制突起をそれぞれ選択的に受け入れる規制孔、を有する、
ことを特徴とする請求項１ないし３のいずれかの項に記載のヒンジ。
【請求項５】
上記ブラケット組立体が、上記回転軸の取付端に確実に取り付けられている回転ブラケットを有する、
ことを特徴とする請求項１ないし４のいずれかの項に記載のヒンジ。
【請求項６】
上記チルト組立体の中央フレームが、
上記第１壁に縦軸方向に形成され、上記中央フレームの取付孔に連携する２つのガイド溝と、および、上記中央フレームの第２壁の内面に形成され、これから突出する規制突起を有し、
上記回転組立体が、
上記回転軸の周りに回転自在に設けられ、上記中央フレームの取付孔に取り付けられ、側壁と、連結端と、該連結端の反対側にあり、回転軸の拡大頭部に隣接し、内面を有する保持壁と、空洞と、２つのガイド耳と、および、２つの位置決め突起を有する中空のスリーブと、
上記回転軸の周りに取り付けられ、上記スリーブの保持壁の内面に面する隣接面と、位置決め座金の隣接面に形成され、上記スリーブの位置決め突起に選択的に係合する２つの位置決め溝を有する上記位置決め座金と、
上記回転軸の周りに設けられ、位置決め座金に隣接する複数の弾性座金と、および、
上記回転軸の周りに設けられ、環状端面と、規制リングの環状端に横軸方向に形成され、上記中央フレームの規制突起に選択的に当接する位置決め突起を有する上記規制リングを有する、
ことを特徴とする請求項１ないし５のいずれかの項に記載のヒンジ。
【請求項７】
ベースとカバーとヒンジから構成されるヒンジを備えた電子機器であって、
該ヒンジが、上記ベースとカバーの間に連結され、
第１側面と、上記第１側面の反対側にあり、内面を有する第２側面と、第１端面と、上記第１端面の反対側にあり、上記第１および第２側面に隣接する第２端面と、および、上記第１および第２側面を貫いて縦軸方向に形成される取付孔を有する中央フレームと、
上記中央フレームの第１端面に形成されると共に該端面から横軸方向に突出する第１チルト軸と、および
上記中央フレームの第２端面に形成されると共に該端面から横軸方向に突出する第２チルト軸と、
を有するチルト組立体と；
上記中央フレームの取付孔を貫いてスライド自在に取り付けられ、本体と、該本体の周りに形成された拡大頭部と、上記中央フレームの第２壁面から突出する先端と、上記中央フレームの第２壁面から突出する隣接端と、および、上記中央フレームの第１壁面から突出する取付端から構成される回転軸と、
上記回転軸の周りに設けられ、上記中央フレームの第２壁面に隣接する弾性部材と、および、上記回転軸の周りに確実に取り付けられる固定リングと、
から成り、上記チルト組立体に連結される回転組立体と；
端縁、および第１チルトブラケットの端縁に形成されると共にこれから突設され、上記中央フレームに対応し、上記回転軸に面するアーチ状曲面を有し、該回転軸の隣接端に選択的に隣接する延設翼を有する上記第１チルトブラケットと、
上記第２チルト軸の周りに回転自在に取り付けられる第２チルトブラケットと、
から成り、上記チルト組立体に連結されるブラケット組立体と；および
ヒンジを覆い、上記ベースに確実に取り付けられる蓋と；
から構成される、
ことを特徴とするヒンジを備えた電子機器。
【請求項８】
上記回転軸が、その隣接端に近い本体に過剰に形成された環状溝を有し、上記固定リングが回転軸の環状溝に係合する、
ことを特徴とする請求項７に記載のヒンジを備えた電子機器。
【請求項９】
スプリングが、上記第２チルト軸の周りに設けられ、そして、位置決め組立体が、該第２チルト軸の周りに設けられ、スプリングに位置決め機能を発揮せしめる、ことを特徴とする請求項７または８に記載のヒンジを備えた電子機器。
【請求項１０】
上記チルト組立体が、上記第１および第２チルト軸にそれぞれ確実に取り付けられている２つの規制座金を有し、各規制座金が、外端と上記規制座金の外端に設けられ、外端から縦軸方向に突出する規制突起を有し、
上記第１チルトブラケットが、これを貫いて形成され、対応する規制座金の規制突起をそれぞれ選択的に受け入れる、規制孔を有し、および、
上記第２チルトブラケットが、これを貫いて形成され、対応する規制座金の規制突起をそれぞれ選択的に受け入れる規制孔、を有する、
ことを特徴とする請求項７ないし９のいずれかの項に記載のヒンジを備えた電子機器。
【請求項１１】
上記ブラケット組立体が、上記回転軸の取付端に確実に取り付けられ、上記カバーに確実に取り付けられる回転ブラケットを有する、
ことを特徴とする請求項７ないし１０のいずれかの項に記載のヒンジを備えた電子機器。
【請求項１２】
上記チルト組立体の中央フレームが、
上記第１壁に縦軸方向に形成され、上記中央フレームの取付孔に連携する２つのガイド溝と、および、上記中央フレームの第２壁の内面に形成され、これから突出する規制突起を有し、
上記回転組立体が、
上記回転軸の周りに回転自在に設けられ、上記中央フレームの取付孔に取り付けられ、側壁と、連結端と、該連結端の反対側にあり、回転軸の拡大頭部に隣接し、内面を有する保持壁と、空洞と、２つのガイド耳と、および、２つの位置決め突起を有する中空のスリーブと、
上記回転軸の周りに取り付けられ、上記スリーブの保持壁の内面に面する隣接面と、上記位置決め座金の隣接面に形成され、上記スリーブの位置決め突起に選択的に係合する２つの位置決め溝を有する位置決め座金と、
上記回転軸の周りに設けられ、位置決め座金に隣接する複数の弾性座金と、および、
上記回転軸の周りに設けられ、環状端面と、規制リングの環状端に横軸方向に形成され、上記中央フレームの規制突起に選択的に当接する位置決め突起を有する上記規制リングを有する、
ことを特徴とする請求項７ないし１１のいずれかの項に記載のヒンジを備えた電子機器。